(57)【要約】【課題】簡単な構成で幼児を安全に保持できる幼児保持装置を提供する。【解決手段】幼児を保持して運搬が可能な幼児保持具は、幼児を保持するための幼児保持布１１とを含み、幼児保持布１１は幼児の背部または腹部を保持する背当て部１２と、背当て部１２に続く股当て部１３と、股当て部１３に続く前当て部１４とを含み、背当て部１２に接続され、幼児保持布１１を装着者の肩で保持するための肩掛けベルト２０と、前当て部１４に接続され、幼児保持布１１を装着者の腰で保持するための腰ベルト３０と、前当て部１４の左右両端部に設けられた一対のフック部材２７と、背当て部１２に設けられた一対のリング部材２５とを含み、フック部材２７と、リング部材２５とが相互に係合して股繰り部を形成する。【選択図】        図３
2004358005.tif 000002
【特許請求の範囲】
【請求項１】
幼児を保持して運搬が可能な幼児保持具であって、
前記幼児を保持するための幼児保持布を含み、
前記幼児保持布は前記幼児の背部または腹部を保持する背当て部と、前記背当て部に続く股当て部と、前記股当て部に続く前当て部とを含み、
前記背当て部に接続され、前記幼児保持布を装着者の肩で保持するための肩掛けベルトと、
前記前当て部に接続され、前記幼児保持布を装着者の腰で保持するための腰ベルトと、
前記前当て部の左右両端部に設けられた一対の第１係合部材と、
前記背当て部に設けられた一対の第２係合部材とを含み、
前記一対の第１および第２係合部材のそれぞれ同じ側が相互に係合する、幼児保持具。
【請求項２】
前記背当て部は、垂直方向に幼児を保持するために、前記垂直方向に交わる幅方向に必要な第１の寸法を有し、
前記一対の第２係合部材の相互の間隔は第２の寸法であり、
前記第１の寸法は前記第２の寸法より大きい、請求項１に記載の幼児保持具。
【請求項３】
前記背当て部には袋部が設けられる、請求項１または２に記載の幼児保持具。
【請求項４】
前記袋部は布を介して前記背当て部に設けられる、請求項１から３のいずれかに記載の幼児保持具。
【発明の詳細な説明】
【０００１】
【発明の属する技術分野】
この発明は幼児保持具に関し、特に、簡単な構成で幼児を安全に保持できる幼児保持装置に関する。
【０００２】
【従来の技術】
従来の携帯可能な幼児用保持具が、たとえば下記の特許文献１および特許文献２に開示されている。図１３は特許文献１に開示された従来の携帯可能な幼児用保持具の収納状態を示す図（Ａ）と、展開した状態を示す図である（Ｂ）。
【０００３】
図１３（Ａ）を参照して、従来の携帯可能な幼児用保持具１００は、幼児用保持具を収納する袋部分１０２と、袋部分１０２の開口を閉じるチャック１０２ａと、携帯するときに幼児用保持具を持つためのつりひも１０４とを含む。チャック１０２ａを開いて、袋部分１０２を反転し、中から幼児保持部を取り出して展開すると、図１３（Ｂ）のようになり、幼児の背中を支持する背中部１０１と、一方帯部１０１ａと、他方帯部１０１ｂと、一方金具１０３ａと、他方金具１０３ｂとが現れる。
【０００４】
一方帯部１０１ａと一方金具１０３ａとが係合し、他方帯部１０１ｂと他方金具１０３ｂとを係合させて、肩でたすきがけし、背中に幼児を保持する。
【０００５】
図１４は特許文献２に開示された収納可能な幼児用背負帯１１０を示す図である。図１４を参照して、収納可能な幼児用背負帯１１０は、背当て部１１１の外面にそのほぼ全面に設けられた袋部１１６と、背当て部１１１の上端部の両側に延びる帯ひも１１２と、背当て部１１１の下部に設けられた脚部１１３ａ、１１３ｂ，１１３ｃと、脚部１１３ａ，１１３ｂ，１１３ｃを連結して延びる下側帯１１４とを含む。袋部１１６の中央部にはファスナー１１７が設けられ、下側帯１１４の両端には、上側帯１１２と係合するための掛け具１１５が設けられている。
【０００６】
収納可能な幼児用背負帯１１０を収納するときには、ファスナー１１７を開いて袋部１１６を反転し、その中に上記の各要素を収納する。
【０００７】
【特許文献１】
実開昭５４−４１３２号公報（図１およびそれに関係する説明）
【０００８】
【特許文献２】
実開昭５２−１４４８３０号公報（図１およびそれに関係する説明）
【０００９】
【発明が解決しようとする課題】
従来の、収納可能な幼児保持具１００や幼児用背負帯１１０は上記のように構成されていた。幼児を背中におんぶしたときに幼児の臀部を袋部分１０２または１１６で受けるが、そのときに幼児の状態を手を後に回して確認しようとしても、袋部分１０２または１１６があるために、袋部分１０２または１１６に物が入っていると、幼児にじかに触れることができないという問題があった。
【００１０】
収納可能な幼児保持具１００においては、幼児を保持する時の保持部の幅をできるだけ広くするために、収納用の袋部１０２の幅は背中部分１０１とほぼ同じ寸法であった。また、幼児用背負帯１１０においても、同様の理由で収納用の袋部の幅寸法は背当て部とほぼ同じ寸法であった。
【００１１】
このような幅寸法であれば、反転した収納時の幅寸法も元の背当て部の寸法とほぼ等しくなり、収納時にコンパクトになりにくいという問題があった。
【００１２】
また、収納可能な幼児保持具１００等においては、収納はされるものの、収納された幼児保持具を運搬するには別途袋等が必要になり、幼児とともに外出するとき等に別の部材が必要になるという問題があった。
【００１３】
さらに、従来の幼児用保持具においては、図１４に示すように、幼児をより安全に保持するためには、脚部１１３ａ、１１３ｂ，１１３ｃを形成する必要があり、構成が複雑になるという問題点があった。
【００１４】
この発明は上記のような問題点に着目してなされたもので、簡単な構成で幼児を安全に保持できる幼児保持装置を提供することを目的とする。
【００１５】
【課題を解決するための手段】
この発明にかかる、幼児を保持して運搬が可能な幼児保持具は、幼児を保持するための幼児保持布とを含み、幼児保持布は幼児の背部または腹部を保持する背当て部と、背当て部に続く股当て部と、股当て部に続く前当て部とを含み、背当て部に接続され、幼児保持布を装着者の肩で保持するための肩掛けベルトと、前当て部に接続され、幼児保持布を装着者の腰で保持するための腰ベルトと、前当て部の左右両端部に設けられた一対の第１係合部材と、背当て部に設けられた一対の第２係合部材とを含み、一対の第１および第２係合部材のそれぞれ同じ側が相互に係合する。
【００１６】
幼児保持布は肩掛けベルトで保持され、前当て部に設けられた一対の第１係合部材と、背当て部に設けられた一対の第２係合部材とがそれぞれ係合して、この係合部と股当て部とで股繰り部が形成される。したがって、背当て部、股繰り部を有し、肩掛けベルトで保持可能な幼児保持装置が提供できる。その結果、簡単な構成で幼児を安全に保持できる幼児保持装置が提供できる。
【００１７】
好ましくは、背当て部は、垂直方向に幼児を保持するために、垂直方向に交わる幅方向に必要な第１の寸法を有し、一対の第２係合部材の相互の間隔は第２の寸法であり、第１の寸法は第２の寸法より大きい。
【００１８】
さらに好ましくは、背当て部には袋部が設けられる。
【００１９】
さらに好ましくは、袋部は布を介して背当て部に設けられる。
【００２０】
【発明の実施の形態】
以下この発明の実施の形態を図面を参照して説明する。
【００２１】
図１はこの発明の一実施の形態に係る携帯可能な幼児保持具１０の収納状態を示す図である。幼児保持具１０は収納状態ではポーチの形状をしている。図１（Ａ）は幼児保持具１０の正面図であり、図１（Ｂ）は背面図である。
【００２２】
図１を参照して、携帯可能な幼児保持具１０は、袋部４０と、袋部４０の上部に設けられ、幼児保持具１０を手で保持または乳母車等の突起部に引っかけるための手持ちひも４１と、手持ちひも４１の直下に上下方向に設けられ、内部に収納された幼児保持布（ここで布とは平面形状のものを意図するもので、材質等を問わない）１１を取り出すためのファスナー４２と、ファスナー４２の設けられた面の背面に設けられ、横方向に開口する小物を収納するポケット４３とを含む。ポケット４３はメッシュ状の布で構成されている。
【００２３】
ここで袋部４０のファスナー４２が設けられている面を表側シートの外面１６とよび、ポケット４３が設けられている面を裏側シートの外面１８という。なお、後の説明では、表側シートの外面１６の裏面を表側シートの内面とよび、裏側シートの外面１８の裏面を裏側シートの内面とよぶ。
【００２４】
図２は図１（Ａ）に示したファスナー４２を開いた状態を示す図である。ファスナー４２を開くと、その内部に収納された幼児保持布１１が見える。
【００２５】
図３は幼児保持布１１を袋部４０から取り出して展開した状態のファスナー４２が設けられた表側を示す正面図である。図３を参照して、展開された幼児保持布１１は、背当て部１２と股当て部１３と前当て部１４とからなる本体部１５と、本体部１５の左右上端部にそれぞれ縫いつけ部２１ａ、２１ｂを介して接続された肩掛けベルト２０と、本体部１５の下部の左右両端部に設けられたフック部材２７ａ、２７ｂと、前当て部１４に２箇所の縫いつけ部３１ａ、３１ｂで固定され、水平方向に延びる腰ベルト３０とを含む。背当て部１２の中央部には反転した袋部４０が位置し、その近傍にはリング部材縫いつけ部２６ａ，２６ｂ（図４参照）を介して一対のリング部材２５ａ、２５ｂが設けられている。袋部４０は反転されると、表側シートの内面１７で構成され、図に示すようにメッシュ状になっている。また、ファスナー４２は、反転した状態においても反転前と同様に使用可能である。
【００２６】
肩掛けベルト２０の中央部には肩パッド２２が設けられ、肩パッド２２にはベルトの長さを調整するための一対の調節機構２３ａ，２３ｂが設けられている。
【００２７】
腰ベルト３０の一方端部にはワンタッチバックル３３が設けられ、他方端部にはワンタッチバックル３３と係合するカバー付きバックル３４が設けられる。
【００２８】
袋部４０の幅方向寸法（図３でメッシュで表示されている部分のファスナー４２に直交する方向の寸法）は袋部４０が取付けられる背当て部１２の幅方向寸法よりも狭い。収納時には、ファスナー４２を開けて、この袋部４０を反転し、その内部に幼児保持布１１の使用時に必要な上記要素を全て収納する。収納時には、上記したように、反転したときの袋部４０は図１に示した収納時の袋部４０に対応し、袋部４０の幅方向寸法は表側シートの外面１６の幅方向寸法に対応するため、背当て部１２の寸法の割に収納時の袋部４０の寸法はコンパクトになる。
【００２９】
なお、この実施の形態の形態、すなわち、袋部４０の幅方向寸法は袋部４０が取付けられる背当て部１２の幅方向寸法よりも狭い例においては、図３における袋部４０の外周部全体が背当て部１２に縫いつけられていてもよい。
【００３０】
図４は図３に示した展開状態の幼児保持布１１の背面を示す背面図である。図４を参照して、幼児保持布１１の要部には、図中点線で示すように、強化帯が設けられている。具体的には、一方の肩ベルト２０用の縫いつけ部２１ａから腰ベルト用の縫いつけ部３１ｂへ第１強化帯４５が設けられ、他方の肩ベルト用の縫いつけ部２１ｂから腰ベルト用の縫いつけ部３１ａへ第２強化帯４６が設けられている。また、背当て部１２の上端部には第３強化帯４７が設けられ、前当て部１４の端部にはフック部材２７ａおよび２７ｂを接続するように、第４強化帯４８が設けられている。また、背当て部１２と股当て部１３との境界部には第５強化帯４９が設けられている。図４に示すように、幼児保持布１１の裏側は全てメッシュ状の布で構成されている。
【００３１】
図５は図３のＶ−Ｖ線で示す部分の断面図である。図５を参照して、背当て部１２の上に反転した袋部４０（表布３８と裏布３９とからなる）がほぼ第３強化帯４７および第５強化帯４９に沿って、所定の部分で固定されている。反転した袋部４０の内部には、反転前のポケット４３が存在し、手持ちひも４１も袋部４０内に収納される。ポケット４３がファスナー４２で開閉可能な表布３８で覆われているため、反転前にポケット４３内に保持された小物類を落とすことなく保持できる。
【００３２】
また、図１（Ｂ）に示した、収納状態のポケット４３がそのままで、幼児保持布１１として使用するために展開したときも使用可能となる。
【００３３】
なお、表布３８を構成する反転された外面は表側シートの内面１７で構成され、内面（ポケット４３のある側）は表側シートの外面１６で構成される。
【００３４】
反転した袋部４０のこの状態の図からわかるように、反転した袋部４０を第３強化帯４７および第５強化帯４９に取付ける位置を適切に選択しているため、背当て部１２と反転された袋部４０の裏布３９との間には空間４４が形成される。裏布３９のポケット４３側は裏側シートの外面１８で構成され、背当て部１２側は裏側シートの内面１９でそれぞれ構成される。
【００３５】
なお、この反転した袋部４０の背当て部への取り付けは、第３強化帯４７のみで行ってもよい。そうすれば、反転した袋部４０は上端部のみで背当て部１２に固定されるため、袋部は任意の形態になることができ、袋部４０に収納される物の自由度が高くなる。
【００３６】
なお、この実施の形態、すなわち、背当て部１２に空間４４を介して袋部４０を設ける場合は、図３における幼児保持布１１は、肩掛けベルト２０に限らず、図１３や図１４に示した、従来のたすき掛けのベルトや、装着者が幼児保持布１１とは別の保持具を有し、接続具を使用して幼児保持布１１を保持具に接続する場合にも適用可能である。
【００３７】
図６は装着者が幼児保持布１１を肩掛けベルト２０を右肩に掛けて保持した状態を示す図である。図６に示すように、使用時には、まず、反転した袋部４０のファスナーが設けられた面が外を向くようにして、腰ベルト３０を腰にセットし、長さを調節した後、ワンタッチバックル３３とカバー付きバックルとを係合させて幼児保持布１１を腰で保持する。ついで、長さを調節した肩掛けベルトを一方の肩に通し、前当て部１４の端部に設けられたフック部材２７ａ、２７ｂをそれぞれ背当て部１２に設けられたリング部材２５ａ、２５ｂに係合させる。この状態で幼児を、幼児保持布１１の背当て部１２と前当て部１４で構成された空間に保持する。
【００３８】
このように、幼児保持布１１は幼児を保持できるだけでなく、背当て部１２の背面のファスナー４２の内側にはポケット４３が設けられているため（図５参照）、幼児とともに外出するとき等に必要な小物を身近に保持できる。
【００３９】
図６では装着者が、幼児保持布１１を右肩に装着して、幼児と対面する方向で幼児を保持したとき、背当て部１２と反転した袋部４０との間に形成された空間４４（図５参照）に手を入れることができる。したがって、収納用の袋を有しながら、幼児をじかに支えるような感覚をもてる。
【００４０】
図７は図６を背面方向から見た図である。幼児保持布１１は肩掛けベルト２０と腰ベルト３０とでしっかりと装着者に保持されている。
【００４１】
図８は肩掛けベルト２０を左肩に掛けて幼児幼児保持具１０に保持した状態を示す図である。装着方法は図６で述べたのと同様である。
【００４２】
このように、この実施の形態にかかる幼児保持布１１は、利き腕等に応じて、左右任意の肩の一方に掛けるだけで幼児を保持できるため、従来のようなたすき掛けをすることなく、簡単な構成で幼児を確実に保持可能である。
【００４３】
図９は前当て部１４の端部に設けられたフック部材２７ａ、２７ｂと背当て部１２に設けられたリング部材２５ａ、２５ｂとの係合状態の詳細を示す図である。保持する幼児の寸法に合わせてフック部材２７ａ、２７ｂを取付けているフックベルト２８の寸法を調整してリング部材２５ａ、２５ｂに係合させる。この係合部と股当て部１３とによって、簡単な構成で、幼児を保持するときの股繰り部が
形成できる。
【００４４】
図３に示すように、一対のリング部材２５ａ、２５ｂは、袋部４０とほぼ同様の幅方向寸法で、背当て部１２の左右上方に設けられており、一対のリング部材２５ａ、２５ｂの幅方向寸法は背当て部１２の幅方向寸法より狭い。そのため、リング部材２５ａ、２５ｂとフック部材２７ａ、２７ｂをそれぞれ係合して幼児を保持すると、背当て部１２の一対のリング部材２５ａ、２５ｂの幅より広い部分が幼児の側部を大きく覆うようになる。その結果、より安全に幼児を保持できる。
【００４５】
次にこの発明にかかる幼児保持具１０の他の使用例について説明する。図１０は、他の使用例を示す図である。図１０（Ａ）は装着者の前面に幼児保持具１０を保持した状態を示す図であり、図１０（Ｂ）は装着者の背面側を示す図である。
【００４６】
図１０を参照して、この使用形態においては、幼児保持具１０をウエストポーチとして使用する（図１０（Ａ））。すなわち、この使用形態においては、腰ベルト３０だけでなく、肩掛けベルト２０もその長さを調節機構２３で寸法を調節して腰に保持する（図１０（Ｂ））。
【００４７】
このように、収納可能な幼児保持具１０を幼児とともに持ち運ぶとき、ウエストポーチとして搬送ができるため、別途に搬送用の用具を要しない。
【００４８】
このとき、肩掛けベルト２０が主として幼児保持具１０をウエストポーチとして装着者の腰に保持するために使用されるため、腰ベルト３０は使用しなくてもよい。この場合は、腰ベルト３０を取り外し可能に構成してもよい。腰ベルト３０を取り外すと、前当て部１４等が下にぶら下がる。そこで、これを防ぐため、リング部材２５ａ、２５ｂとフック部材２７ａ、２７ｂをそれぞれ係合した状態で保持したり、前当て部１４等を背当て部１２の背面に収納部を設けて収納してもよい。
【００４９】
また、腰ベルト３０は、取り外すことなく、袋部４０と背当て部１２との間の空間４４内を通して保持したり、空間４４内に腰ベルト３０の収納部を設けてもよい。
【００５０】
図１１は図６に示す状態において、空間４４にカーディガンのような衣服３５を通して保持した状態を示す図である。このように、この実施の形態にかかる幼児保持布１１は、空間４４をファスナー付きポケット以外の他の収納手段として利用可能である。
【００５１】
図１２は図１１に対して、幼児を前向きに保持した状態を示す図である。このように、この実施の形態にかかる幼児保持布１１は、図４に示すように股当て部の幅寸法（腰ベルトの長さ方向の寸法）を比較的狭くし、第４強化帯と第５強化帯との間の幅寸法をほぼ等しくし、また、強化帯から股当て部１３の端部までのをソフトクッション素材で形成したため、幼児は前向きでも後ろ向きでも保持が可能である。
【００５２】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【図面の簡単な説明】
【図１】幼児保持具の収納状態を示す図である。
【図２】幼児保持具の収納状態において、袋のファスナーを開いた状態を示す図である。
【図３】幼児保持具を袋から取り出し、展開した状態の正面図である。
【図４】幼児保持具を袋から取り出し、展開した状態の背面図である。
【図５】図３のＶ−Ｖ断面を示す図である。
【図６】幼児保持具の使用状態を示す図である。
【図７】幼児保持具の使用状態を示す図である。
【図８】幼児保持具の使用状態を示す図である。
【図９】リング部材とフック部材との係合状態を示す図である。
【図１０】幼児保持具の他の使用状態を示す図である。
【図１１】幼児保持具の使用状態を示す図である。
【図１２】幼児保持具の使用状態を示す図である。
【図１３】従来の幼児保持具を示す図である。
【図１４】従来の幼児保持具を示す図である。
【符号の説明】
１０  幼児保持具、１１  幼児保持布、１２  背当て部、１３  股当て部、１４  前当て部、１５  本体部、１６  表側シートの外面、１７  表側シートの内面、１８  裏側シートの外面、１９  裏側シートの内面、２０  肩掛けベルト、２５  リング部材、２７  フック部材、３０  腰ベルト、４０  袋部、４２  ファスナー、４３  ポケット、４４  空間。
【図１】
2004358005.tif 000003
【図２】
2004358005.tif 000004
【図３】
2004358005.tif 000005
【図４】
2004358005.tif 000006
【図５】
2004358005.tif 000007
【図６】
2004358005.tif 000008
【図７】
2004358005.tif 000009
【図８】
2004358005.tif 000010
【図９】
2004358005.tif 000011
【図１０】
2004358005.tif 000012
【図１１】
2004358005.tif 000013
【図１２】
2004358005.tif 000014
【図１３】
2004358005.tif 000015
【図１４】
2004358005.tif 000016